【手続補正書】
【提出日】平成18年12月7日(2006.12.7)
【手続補正１】
【補正対象書類名】明細書
【補正対象項目名】特許請求の範囲
【補正方法】変更
【補正の内容】
【特許請求の範囲】
【請求項１】地図情報が格納された地図情報格納手段と、地図および当該地図上におけるユーザの現在位置を表示する表示装置と、ユーザが指示を入力する入力装置と、インターネットへの接続を行うインターネット接続手段と、ユーザの現在位置を検出する現在位置検出手段と、前記現在位置検出手段により検出された現在位置をユーザの指示に応じて所定のホストコンピュータにインターネットを通じて送信する位置情報送信手段と、現在位置周辺の店舗の位置情報を含む店舗情報および店舗で提供されている商品情報を前記ホストコンピュータからインターネットを通じて受信する商品情報受信手段と、前記商品情報受信手段により受信した店舗情報を前記表示装置上に表示する店舗情報表示手段と、前記商品情報受信手段により受信した商品情報を前記表示装置上に表示する商品情報表示手段と、前記商品情報受信手段により受信した店舗情報の中からユーザが注文しようとする商品を提供している店舗をユーザの指示により選択する店舗選択手段と、前記商品情報受信手段により受信した商品情報の中からユーザが注文しようとする商品をユーザの指示により選択する商品選択手段と、前記商品選択手段で商品が選択された時に前記現在位置検出手段で検出された現在位置と、当該選択された商品を提供する店舗の位置情報とから、当該店舗への到着時刻を予想する到着時刻予想手段と、前記商品選択手段により選択した商品と前記到着時刻予想手段で予想された到着時刻とを前記店舗選択手段により選択した店舗にインターネットを通じて送信することで注文を行う商品注文手段とを備えたことを特徴とするインターネット端末装置。
【請求項２】地図情報が格納された地図情報格納手段と、地図および当該地図上におけるユーザの現在位置を表示する表示装置と、ユーザが指示を入力する入力装置と、インターネットへの接続を行うインターネット接続手段と、ユーザの指示に応じて地図上での位置を選択する位置選択手段と、前記位置選択手段により選択された位置をユーザの指示に応じて所定のホストコンピュータにインターネットを通じて送信する位置情報送信手段と、選択位置周辺の店舗の位置情報を含む店舗情報および店舗で提供されている商品情報を前記ホストコンピュータからインターネットを通じて受信する商品情報受信手段と、前記商品情報受信手段により受信した店舗情報を前記表示装置上に表示する店舗情報表示手段と、前記商品情報受信手段により受信した商品情報を前記表示装置上に表示する商品情報表示手段と、前記商品情報受信手段により受信した店舗情報の中からユーザが注文しようとする商品を提供している店舗をユーザの指示により選択する店舗選択手段と、前記商品情報受信手段により受信した商品情報の中からユーザが注文しようとする商品をユーザの指示により選択する商品選択手段と、前記商品選択手段で商品が選択された時に前記現在
位置検出手段で検出された現在位置と、当該選択された商品を提供する店舗の位置情報とから、当該店舗への到着時刻を予想する到着時刻予想手段と、前記商品選択手段により選択した商品と前記到着時刻予想手段で予想された到着時刻とを前記店舗選択手段により選択した店舗にインターネットを通じて送信することで注文を行う商品注文手段とを備えたことを特徴とするインターネット端末装置。
【手続補正２】
【補正対象書類名】明細書
【補正対象項目名】０００７
【補正方法】変更
【補正の内容】
【０００７】
【課題を解決するための手段】
この課題を解決するために、本発明のインターネット端末装置は、地図情報が格納された地図情報格納手段と、地図および当該地図上におけるユーザの現在位置を表示する表示装置と、ユーザが指示を入力する入力装置と、インターネットへの接続を行うインターネット接続手段と、ユーザの現在位置を検出する現在位置検出手段と、現在位置検出手段により検出された現在位置をユーザの指示に応じて所定のホストコンピュータにインターネットを通じて送信する位置情報送信手段と、現在位置周辺の店舗の位置情報を含む店舗情報および店舗で提供されている商品情報をホストコンピュータからインターネットを通じて受信する商品情報受信手段と、商品情報受信手段により受信した店舗情報を表示装置上に表示する店舗情報表示手段と、商品情報受信手段により受信した商品情報を表示装置上に表示する商品情報表示手段と、商品情報受信手段により受信した店舗情報の中からユーザが注文しようとする商品を提供している店舗をユーザの指示により選択する店舗選択手段と、商品情報受信手段により受信した商品情報の中からユーザが注文しようとする商品をユーザの指示により選択する商品選択手段と、商品選択手段で商品が選択された時に現在位置検出手段で検出された現在位置と、当該選択された商品を提供する店舗の位置情報とから、当該店舗への到着時刻を予想する到着時刻予想手段と、商品選択手段により選択した商品と到着時刻予想手段で予想された到着時刻とを店舗選択手段により選択した店舗にインターネットを通じて送信することで注文を行う商品注文手段とを有する構成としたものである。
【手続補正３】
【補正対象書類名】明細書
【補正対象項目名】０００８
【補正方法】変更
【補正の内容】
【０００８】
また、本発明のインターネット端末装置は、地図情報が格納された地図情報格納手段と、地図および当該地図上におけるユーザの現在位置を表示する表示装置と、ユーザが指示を入力する入力装置と、インターネットへの接続を行うインターネット接続手段と、ユーザの指示に応じて地図上での位置を選択する位置選択手段と、位置選択手段により選択された位置をユーザの指示に応じて所定のホストコンピュータにインターネットを通じて送信する位置情報送信手段と、選択位置周辺の店舗の位置情報を含む店舗情報および店舗で提供されている商品情報をホストコンピュータからインターネットを通じて受信する商品情報受信手段と、商品情報受信手段により受信した店舗情報を表示装置上に表示する店舗情報表示手段と、商品情報受信手段により受信した商品情報を表示装置上に表示する商品情報表示手段と、商品情報受信手段により受信した店舗情報の中からユーザが注文しようとする商品を提供している店舗をユーザの指示により選択する店舗選択手段と、商品情報受信手段により受信した商品情報の中からユーザが注文しようとする商品をユーザの指示により選択する商品選択手段と、商品選択手段で商品が選択された時に現在位置検出手段で検出された現在位置と、当該選択された商品を提供する店舗の位置情報とから、当該店
舗への到着時刻を予想する到着時刻予想手段と、商品選択手段により選択した商品と到着時刻予想手段で予想された到着時刻とを店舗選択手段により選択した店舗にインターネットを通じて送信することで注文を行う商品注文手段とを有する構成としたものである。
【手続補正４】
【補正対象書類名】明細書
【補正対象項目名】００１０
【補正方法】変更
【補正の内容】
【００１０】
【発明の実施の形態】
本発明の請求項１に記載の発明は、地図情報が格納された地図情報格納手段と、地図および当該地図上におけるユーザの現在位置を表示する表示装置と、ユーザが指示を入力する入力装置と、インターネットへの接続を行うインターネット接続手段と、ユーザの現在位置を検出する現在位置検出手段と、現在位置検出手段により検出された現在位置をユーザの指示に応じて所定のホストコンピュータにインターネットを通じて送信する位置情報送信手段と、現在位置周辺の店舗の位置情報を含む店舗情報および店舗で提供されている商品情報をホストコンピュータからインターネットを通じて受信する商品情報受信手段と、商品情報受信手段により受信した店舗情報を表示装置上に表示する店舗情報表示手段と、商品情報受信手段により受信した商品情報を表示装置上に表示する商品情報表示手段と、商品情報受信手段により受信した店舗情報の中からユーザが注文しようとする商品を提供している店舗をユーザの指示により選択する店舗選択手段と、商品情報受信手段により受信した商品情報の中からユーザが注文しようとする商品をユーザの指示により選択する商品選択手段と、商品選択手段で商品が選択された時に現在位置検出手段で検出された現在位置と、当該選択された商品を提供する店舗の位置情報とから、当該店舗への到着時刻を予想する到着時刻予想手段と、商品選択手段により選択した商品と到着時刻予想手段で予想された到着時刻とを店舗選択手段により選択した店舗にインターネットを通じて送信することで注文を行う商品注文手段とを備えたインターネット端末装置であり、インターネット端末装置を通じて得られた店舗情報および商品情報に基づいて希望の商品を店舗に注文するようにしたので、実際に店舗へ出向かなくても注文ができることになり、インターネットを通じて得られた店舗情報および商品情報を基に注文した商品を店舗において短時間で受領することが可能になるという作用を有する。
【手続補正５】
【補正対象書類名】明細書
【補正対象項目名】００１１
【補正方法】変更
【補正の内容】
【００１１】
本発明の請求項２に記載の発明は、地図情報が格納された地図情報格納手段と、地図および当該地図上におけるユーザの現在位置を表示する表示装置と、ユーザが指示を入力する入力装置と、インターネットへの接続を行うインターネット接続手段と、ユーザの指示に応じて地図上での位置を選択する位置選択手段と、位置選択手段により選択された位置をユーザの指示に応じて所定のホストコンピュータにインターネットを通じて送信する位置情報送信手段と、選択位置周辺の店舗の位置情報を含む店舗情報および店舗で提供されている商品情報をホストコンピュータからインターネットを通じて受信する商品情報受信手段と、商品情報受信手段により受信した店舗情報を表示装置上に表示する店舗情報表示手段と、商品情報受信手段により受信した商品情報を表示装置上に表示する商品情報表示手段と、商品情報受信手段により受信した店舗情報の中からユーザが注文しようとする商品を提供している店舗をユーザの指示により選択する店舗選択手段と、商品情報受信手段により受信した商品情報の中からユーザが注文しようとする商品をユーザの指示により選択する商品選択手段と、商品選択手段で商品が選択された時に現在位置検出手段で検出さ
れた現在位置と、当該選択された商品を提供する店舗の位置情報とから、当該店舗への到着時刻を予想する到着時刻予想手段と、商品選択手段により選択した商品と到着時刻予想手段で予想された到着時刻とを店舗選択手段により選択した店舗にインターネットを通じて送信することで注文を行う商品注文手段とを備えたインターネット端末装置であり、インターネット端末装置を通じて得られた店舗情報および商品情報に基づいて希望の商品を店舗に注文するようにしたので、実際に店舗へ出向かなくても注文ができることになり、インターネットを通じて得られた店舗情報および商品情報を基に注文した商品を店舗において短時間で受領することが可能になるという作用を有する。
【手続補正６】
【補正対象書類名】明細書
【補正対象項目名】００１２
【補正方法】削除
【補正の内容】